(57)【要約】【課題】  歯科技工作業に際し発生する研磨粉や切削屑による作業室環境悪化の悪影響が防止され貴金属の能率よい回収を目的とする作業ボックスを提供する。【解決手段】  本発明の一構成に係る作業ボックスは、研磨切削作業時自然な姿勢に適応した外形を有し、受け皿とその上部前方にカバーを設置する。前記カバーの両側に作業者の両手が差し込まれる差し込み口をとり、前面にガラスのぞき窓を設置する。研磨切削作業領域上部にカバー内吸引口を有するカバーと前記カバー内吸引口に接続された遠心分離機が前記カバーの後部に配置されている。【選択図】  図２
2005342880.tif 000002
【特許請求の範囲】
【請求項１】
非浮遊性切削屑を受けるための受け皿１と、側部に作業者の両手が差し込まれる両手差込み口４を有し、前記受け皿１上部前方に伏せた状態のカバー２と、前記カバー内吸引口５と，接続された遠心分離機３が前記受け皿１上部後方に設置された作業ボックス。
【請求項２】
請求項１において、前記両手差込み口４を結ぶ線を底辺とする、二等辺三角形の頂点の位置に前記カバー内吸引口５を、配置した作業ボックス。
【請求項３】
請求項１または２において、前記遠心分離機の内壁に左回転で下向きの畝が形成されている作業ボックス。
【請求項４】
請求項１〜３のいずれかにおいて、前記遠心分離機下部に着脱式回収カプセル６が設置されている作業ボックス。
【請求項５】
請求項１〜４のいずれかにおいて、前記カバー２にガラスのぞき窓９を有し、前記ガラスのぞき窓９の下部に、イオン発生装置７を設置した作業ボックス。
【発明の詳細な説明】
【技術分野】
【０００１】  本発明は、貴金属、その他の合金、プラスチックス、石膏模型、歯科陶材等の研磨や切削を手作業で行う際に研磨粉や切削屑を飛散しないように集めて貴金属は回収しその他の粉や屑を分別廃棄するのに用いられる作業ボックスに関するものである。
【背景技術】
【０００２】  歯科技工は、貴金属、その他の合金、プラスチックス、石膏模型、歯科陶材等のワークをハンドピースと呼ばれる高速回転の工具を用いた手作業で研磨や切削を行うが、この作業時に研磨粉や切削屑が発生する。このような研磨粉や切削屑の飛散を防止しながら作業を行えるものとしては、（特開平０８−２８０７１６）の歯科用作業カプセルや前方開放型作業ボックス（特開２００３−１２６１１８）が知られている。【０００３】  前者の歯科用作業カプセルは、前面部が透明で内部が透視可能な箱型のケースの両側面に、手を挿入するための差込み口が形成され、差込み口に柔軟に変形して手首と差込み口周縁との隙間を覆うシール部材が装着され、ケース前底部に配置され加工領域に向かって空気を吹き付けるエアノズルと、カプセル後部に排気装置に接続された吸引口を備えている。使用に際しては、ワークおよび工具をそれぞれに持った両手をケースの両側の差込み口から差し込んでケース内でワークの研磨や切削作業を行い、作業に伴って生じる粉塵や切削屑を吸引口に接続した吸引ホースで吸引して排出する。【０００４】  他方、後者の前方開放型作業ボックスは、前者同様前面部は内部が透視できる構造となっているが、前記歯科用作業カプセルと異なり前部が開放されており、作業者の姿勢が拘束されない構造となっている。また、後部に吸引口を備え、前部からの空気を前記吸引口に導く導入溝が形成されている。【０００５】
【特許文献１】    特開２００３−１２６１１８号公報
【特許文献２】    特開平０８−２８０７１６号公報
【発明の開示】
【発明が解決しようとする課題】
【０００６】  しかしながら、前記歯科用作業カプセルでは、前部からは空気を吹き付けるエアーノズルを、カプセルの後部には吸引口を設置しているため、吹き付ける空気の量が吸引排気量より多い場合に乱気流が起こり、ケース内に研磨粉が留まる量が増す。さらに、貴金属を含んだ浮遊性の研磨粉は回収されないまま排出および廃棄される。【０００７】  また、後者の前方開放型作業ボックスについては、ケースの前面が開放されているので非浮遊性の切削屑は作業者の方へ飛散しさらに吸引口にフィルターが配置されているので使用中吸引力が低下する。また、前記歯科用作業カプセルと同様に、貴金属を含む浮遊性研磨粉の回収はできない。【０００８】  さらに、前記歯科用作業カプセルおよび前方開放型作業ボックスのいずれにおいても、プラスチックスの切削屑は静電気を帯びケースに付着するため視界をさえぎることとなる。【０００９】  そこで、本発明は、オリコリの力の作用による空気流を発生させることにより、効率的に研磨粉や切削屑を吸引廃棄でき、今までは回収されにくかった貴金属を含む研磨粉の回収ができ、プラスチックスの切削屑の付着を防ぐ、安全で正確な研磨切削作業のできる作業ボックスを提供することを目的とする。
【課題を解決するための手段】
【００１０】  従来の問題を解決するため、本発明の請求項１に係る歯科技工用研磨作業ボックスは、非浮遊性切削屑を受けるための受け皿１と、側部に作業者の両手が差し込まれる両手差込み口４を有し、前記受け皿１上部前方に伏せた状態のカバー２と、前記カバー内吸引口５と、接続された遠心分離機３が前記受け皿１上部後方に設置された作業ボックス。【００１１】  また、請求項２に係る歯科技工用研磨作業ボックスは、請求項１における前記両手差込み口４を結ぶ線を底辺とする、二等辺三角形の頂点の位置に請求項１における前記カバー内吸引口５が配置されている。さらに、請求項３に係る歯科技工用研磨作業ボックスは、請求項１または２における前記遠心分離機の内壁に左回転で下向きの畝が形成されている。また、請求項４に係る歯科技工用研磨作業ボックスは、請求項１〜３のいずれかにおける前記遠心分離機下部に着脱式回収カプセル６が設置されている。【００１２】  また、請求項５に係る歯科技工用研磨作業ボックスは、請求項１〜４のいずれかにおける前記カバー２にガラスのぞき窓９を有し、請求項１〜４のいずれかにおける前記ガラスのぞき窓９の下部に、イオン発生装置７が設置されている。
【発明の効果】
【００１３】  以上のように、本発明の作業ボックスによれば作業者がワークと工具をそれぞれ持った両方の手を前記カバー側方の両手差し込み口４から研磨作業領域に差し込まれ、研磨や切削を行うときに前記両手差し込み口４より流入した空気が前記両手差し込み口を結んだ線を底辺とした二等辺三角形の頂点の位置に配置されたカバー内吸引口５に向かい小さな竜巻が起こり、浮遊性粉塵と非浮遊性切削屑の一部は能率よく吸引排出され遠心分離機３へと送られる。【００１４】  非浮遊性切削屑の多くは、前記カバーのガラスのぞき窓９下部の前壁に反射され、受け皿１にとどまる。前記遠心分離機３へ送られた研磨粉塵と切削屑は遠心分離機３の内壁面の、螺旋状の畝１１の効果により、ネットやフィルターを使用することなく、能率よく下部の着脱式回収カプセル６へ回収される。【００１５】  一方、空気は外部吸引機へと排気され使用中吸引力が低下することもなく、研磨物専用の着脱式回収カプセルを使用することにより、回収出来にくかった貴金属を含む微細な粉塵の回収もでき、プラスチックスや石膏等の分別回収が容易にできる。【００１６】  以上のように、研磨粉塵や切削屑は一切作業室内に飛散させることなく正確で安全な研磨切削作業を行うことができる。
【発明を実施するための最良の形態】
【００１７】  以下、本発明の好ましい実施例について図面を参照しながら詳述する。図１に示すように、本発明の一実施形態に係る作業ボックスは、作業者の研磨作業姿勢に適応した外形を有している。この作業ボックスの構成は図２に示すごとく受け皿１と、前記受け皿１上部のカバー２と、遠心分離機３とを備えている。【００１８】  受け皿１は、作業スペースの底壁を形成するもので、平面視で前後に長い長方形の形状を有している。カバー２は上部を形成する上壁、後部を形成する後壁および左右の側部を形成する側壁を有している。このカバー２の前壁はガラスのぞき窓９を有している。さらに、前記ガラスのぞき窓９上面には、拡大鏡１０が配置されている。このカバー２は、前記受け皿１と嵌合している。【００１９】  図２に示すように、カバー内部前壁ガラスのぞき窓９左右上部に照明灯８が設置されている。さらに、静電気によるプラスチックス切削屑の前記ガラスのぞき窓９への付着防止を目的として、イオン発生器７が前記ガラスのぞき窓９下部へ設置されている。【００２０】  カバー２の両側に両手差込み口４が形成されている。この両手差込み口が空気取り入れ口となる。カバー２の上部にはカバー内吸引口５が配置されている。前記カバー内吸引口５は上下に位置調整機構を有している。【００２１】  前記両手差込み口より流入した空気は前記カバー内吸引口５に向かいオリコリの力の作用により小さな竜巻が発生し、研磨切削により発生した粉塵は能率よく遠心分離機３に吸引排出される。【００２２】  図３に示すように、前記カバー内吸引口５より吸引排出され遠心分離機３へ送られた粉塵は前記遠心分離機３の内壁に形成された螺旋状畝の効果と重力の作用により、フィルターやネットを使用することなく効率よく粉塵と空気を分離し、粉塵や切削屑は前記遠心分離機下部の着脱式回収カプセルへ強制的に回収される。よって、長時間使用しても吸引力の低下をみることなく、外部吸引機のフィルターの耐用時間の延長が可能となる。【００２３】  次に、前記作業ボックスの使用方法および作用について説明する。まず、外部吸引機を駆動させて図４のカバー内吸引口５に吸引力が作用する状態とする。そののちに、作業者は義歯のようなワークとハンドピースとよばれる工具をそれぞれ持った両方の手を、カバー２の左右の両手差込み口４から差し込まれて受け皿１とカバー２とで囲まれた研磨作業領域まで挿入する。【００２４】  図４のカバー２の前傾した前壁に設けられたガラスのぞき窓９および拡大鏡１０を通した研磨作業領域の作業状況の詳細をみながら工具でワークの研磨や切削を行う。この作業時には図４の照明灯８からの照明光が研磨切削領域に照射される。【００２５】  上述の作業状態時には、図４に示すように、前記カバー２の両側に設けられた両手差込み口４が空気取り入れ口となる。前記両手差込み口４より流入した空気は研磨切削作業領域に至り、オリコリの力の作用により小さな竜巻となり、大きな流速で流動する。しかも、両手差込み口４からカバー内部へ空気の供給がされるので、カバー内部での空気の淀む箇所がなくなる。【００２６】  したがって、研磨切削作業によって発生した研磨粉や切削屑は全て効率的、かつ効果的にカバー内吸引口５���ら排出され外部に飛散することがない。研磨切削作業によって発生する切削屑やワークが欠けた小片などの比較的重いものは前記カバー２のガラスのぞき窓９下部の前壁に反射後落下し、受け皿１に留まり回収される。【００２７】  また、作業者の両手は両手差込み口４から差し込んだ状態で図１に示すように自然な作業姿勢が保てるため、作業が行いやすくなり研磨や切削の失敗を招く恐れが少なくなり、作業者の疲労も軽減される。【００２８】  また図４に示す遠心分離機３の下部着脱式カプセル６を、被研磨切削物すなわち貴金属、その他の合金、プラスチックス、石膏模型等の専用回収カプセルを使用すれば、今まで回収されにくかった貴金属を含んだ微細な浮遊性粉塵も、また石膏模型の切削粉も前記遠心分離機の性能と相まって容易に分別回収できる。【００２９】  さらに、研磨切削中のワークが誤って作業者の手から脱落してもワークは下部の前記受け皿１に落下するか前記カバー内吸引口５から吸引されても前記着脱式回収カプセル６に留まるので容易に回収できる。
【図面の簡単な説明】
【００３０】
【図１】本発明の一実施形態に係る作業ボックスを示す使用状態時の平面断面図である。
【図２】同上の作業ボックスの受け皿１との嵌合をときカバー部および遠心分離機を浮かせた状態の斜視図である。
【図３】同上の遠心分離機部分の斜視図である。
【図４】同上の作業ボックスの空気の流れを示す左側面図である。
【図５】同上の作業ボックスの受け皿を外した状態の下方斜視図である。
【符号の説明】
【００３１】１  受け皿
２  カバー
３  遠心分離機
４  両手差込口
５  カバー内吸引口
６  着脱式回収カプセル
７  イオン発生器
８  内部照明灯
９  ガラスのぞき窓
１０  拡大鏡
１１  遠心分離機内壁螺旋状畝
【図１】
2005342880.tif 000003
【図２】
2005342880.tif 000004
【図３】
2005342880.tif 000005
【図４】
2005342880.tif 000006
【図５】
2005342880.tif 000007